(57)【要約】【課題】桁数の少ない数値表示手段で複数の加熱手段のタイマ残時間と、複数の加熱手段の多種に渡る異常情報を使用者に的確に知らせること。【解決手段】異常検知手段４からの入力に基づき、第１の加熱手段１または第２の加熱手段２の何れかが異常状態である旨の異常表示を、数値表示手段１２ａにて時系列で交互に点滅し、かつ前記異常表示をタイマ残時間表示よりも優先して行うこと。【選択図】図１
2007164997.tif 000002
【特許請求の範囲】
【請求項１】
タイマ機能を有する複数の加熱手段と、１つの数値表示手段と、複数の加熱手段の中から選択する選択手段と、前記複数の加熱手段の異常を検知する異常検知手段と、前記選択手段からの入力に基づき前記複数の加熱手段の中から選択して前記数値表示手段でタイマ残時間表示し、前記異常検知手段からの入力に基づき前記複数の加熱手段の何れかが異常状態である旨の異常表示を前記数値表示手段にて時系列で複数回に分けて行い、かつ前記異常表示を前記タイマ残時間表示よりも優先して行う制御手段とを備えた加熱調理器。
【請求項２】
制御手段は、複数の加熱手段における異常に優先順位を設けて、前記複数の加熱手段で複数の異常が発生したときは、前記優先順位の高い異常表示のみ数値表示手段にて時系列で複数回に分けて行うようにした請求項１に記載の加熱調理器。
【請求項３】
制御手段は、複数の加熱手段で複数の異常が発生したときは、最新の異常表示のみ数値表示手段にて時系列で複数回に分けて行うようにした請求項１に記載の加熱調理器。
【請求項４】
制御手段は、タイマ選択状態表示手段にて、数値表示手段でタイマ残時間表示を行っているときは、どの加熱手段のタイマ残時間表示であるかを表示し、前記数値表示手段で異常表示を行っているときは、どの加熱手段の異常表示であるかを表示するようにした請求項１〜３のいずれか１項に記載の加熱調理器。
【請求項５】
制御手段は、数値表示手段でタイマ残時間表示を行っているときは、タイマ残時間変更手段からの入力に基づき前記タイマ残時間を変更し、前記数値表示手段で異常表示を行っているときは、前記タイマ残時間変更手段からの入力に基づくタイマ残時間の変更を禁止するようにした請求項１〜４のいずれか１項に記載の加熱調理器。
【請求項６】
制御手段は、数値表示手段で異常表示を行っているときに、強制タイマ表示手段からの入力に基づき前記数値表示手段での表示内容を前記異常表示からタイマ残時間表示に切り替えるようにした請求項１〜５のいずれか１項に記載の加熱調理器。
【請求項７】
制御手段は、数値表示手段での表示内容を異常表示からタイマ残時間表示に切り替えた後、所定時間経過すると前記数値表示手段での表示内容を前記タイマ残時間表示から前記異常表示に戻すようにした請求項６に記載の加熱調理器。
【請求項８】
制御手段は、数値表示手段での表示内容をタイマ残時間表示から異常表示に戻すための所定時間の計時を、選択手段またはタイマ残時間変更手段からの入力に基づきクリアし計時し直すようにした請求項７に記載の加熱調理器。
【請求項９】
制御手段は、数値表示手段で異常表示を行っているときに、何れかの加熱手段のタイマ残時間が０になると、前記数値表示手段の表示内容を前記異常表示からタイマ残時間表示に切り替えるようにした請求項１〜５のいずれか１項に記載の加熱調理器。
【請求項１０】
制御手段は、数値表示手段での表示内容を異常表示からタイマ残時間表示に切り替えた後、タイマ残時間が０になって加熱終了する旨の報知が終了すると前記数値表示手段での表示内容を前記タイマ残時間表示から前記異常表示に戻すようにした請求項９に記載の加熱調理器。
【発明の詳細な説明】
【技術分野】
【０００１】
本発明は、家庭のキッチンや業務用の厨房等に用いられる加熱調理器に関するものである。
【背景技術】
【０００２】
近年、この種の加熱調理器、特に、誘導加熱調理器は安全・清潔・高効率という優れた特徴が認知され、複数の加熱手段を有した複合加熱調理器として普及されている。
【０００３】
この複合加熱調理器には、加熱手段毎にタイマ機能を備えているが、部品のコストおよび取り付けスペースを抑制するために、これら複数のタイマ残時間の中から１つを選択し１つの数値表示手段で表示するものが知られている（例えば、特許文献１参照）。
【０００４】
更に、製品の高機能化に伴って、様々な異常使用、故障、または不良の発生が想定されるようになり、これらの異常状態に迅速かつ的確に対応するために、異常状態を「アルファベット」と「数字」の組み合わせで数値表示手段にて表示し、同時刻に、ある加熱手段にタイマ残時間があり他の加熱手段が異常状態にあるような場合は、タイマ残時間表示と異常表示を数値表示手段にて時系列で交互に切り替えて行うものが知られている（例えば、特許文献２参照）。
【特許文献１】特開平１１−２９４７７７号公報
【特許文献２】特開２００２−８１６５６号公報
【発明の開示】
【発明が解決しようとする課題】
【０００５】
しかしながら、前記従来の構成では、部品のコストおよび取り付けスペース抑制策の延長として２桁の数値表示手段を１個採用し、かつ異常状態の種類が増大して「アルファベット」＋「数字１桁」では全ての異常状態を表示できず、そのために「アルファベット」と「数字２桁」を数値表示手段にて時系列で交互に切り替えて表示するような場合、従来の特許文献２の構成では、「タイマ残時間表示」→「異常表示のアルファベット」→「異常表示の数字２桁」を数値表示手段にて時系列で切り替えて表示することになり、表示内容が煩雑になるとともに、「タイマ残時間表示」と「異常表示の数字２桁」を見分けられず異常内容を把握できなくなるという課題を有していた。
【０００６】
本発明は、前記従来の課題を解決するもので、１つの数値表示手段（２桁が１個）で複数の加熱手段のタイマ残時間を選択して表示するとともに、複数の加熱手段の何れかが異常状態にあるときは時系列で複数回に分けた異常表示のみ行うことを目的とする。
【課題を解決するための手段】
【０００７】
前記従来の課題を解決するために、本発明の加熱調理器は、異常検知手段からの入力に基づき複数の加熱手段の何れかが異常状態である旨の異常表示を数値表示手段にて時系列で複数回に分けて行い、かつ前記異常表示をタイマ残時間表示よりも優先して行うようにしたものである。
【０００８】
これによって、ある加熱手段のタイマ残時間を数値表示手段にて表示しているときに他の加熱手段が異常状態になると、時系列で複数回に分けた異常表示のみ行うこととなる。
【発明の効果】
【０００９】
本発明の加熱調理器は、複数の加熱手段の何れかが異常状態にあるときは時系列で複数回に分けた異常表示のみ行うので、桁数の少ない数値表示手段を採用して部品をコストおよび取り付けスペースを抑制しつつ、多種に渡る異常情報を使用者に迅速かつ的確に知らせることができる。
【発明を実施するための最良の形態】
【００１０】
第１の発明は、タイマ機能を有する複数の加熱手段と、１つの数値表示手段と、複数の加熱手段の中から選択する選択手段と、前記複数の加熱手段の異常を検知する異常検知手段と、前記選択手段からの入力に基づき前記複数の加熱手段の中から選択して前記数値表示手段でタイマ残時間表示し、前記異常検知手段からの入力に基づき前記複数の加熱手段の何れかが異常状態である旨の異常表示を前記数値表示手段にて時系列で複数回に分けて行い、かつ前記異常表示を前記タイマ残時間表示よりも優先して行う制御手段とを備えるとすることにより、制御手段は、選択手段からの入力に基づき複数の加熱手段の中から選択して数値表示手段でタイマ残時間表示するので、タイマ残時間を表示する数値表示手段を１つにして部品のコストおよび取り付けスペースを抑制しつつ、各加熱手段のタイマ残時間を切り替えて表示することができる。
【００１１】
また、制御手段は、異常検知手段からの入力に基づき複数の加熱手段の何れかが異常状態である旨の異常表示を数値表示手段にて時系列で複数回に分けて行うので、桁数の少ない数値表示手段を採用して、更に部品のコストおよび取り付けスペースを抑制するとともに、数値表示手段よりも多い桁数で異常情報を表示して、多種に渡る異常情報を使用者に知らせることができる。
【００１２】
更に、制御手段は、異常表示をタイマ残時間表示よりも優先して行うので、ある加熱手段のタイマ残時間を数値表示手段にて表示しているときに、他の加熱手段の異常状態を検知すると、時系列で複数回に分けた異常表示のみ行うので、使用者が多種に渡る異常情報を迅速かつ的確に把握できるようにすることができる。
【００１３】
第２の発明は、特に、第１の発明の制御手段を、複数の加熱手段における異常に優先順位を設けて、前記複数の加熱手段で複数の異常が発生したときは、前記優先順位の高い異常表示のみ数値表示手段にて時系列で複数回に分けて行うようにしたとすることにより、複数の加熱手段で同時に異常が発生しても、制御手段は優先順位の高い異常表示のみ数値表示手段にて時系列で複数回に分けて行うので、複数の異常情報がそれぞれ時系列で複数回に分けて表示されるが故に個々の異常情報を識別できないといった状況を防いで、使用者は優先順位の高い異常情報を迅速かつ的確に把握できるようにすることができる。
【００１４】
第３の発明は、特に、第１の発明の制御手段を、複数の加熱手段で複数の異常が発生したときは、最新の異常表示のみ数値表示手段にて時系列で複数回に分けて行うようにしたとすることにより、複数の加熱手段で逐次異常が発生しても、制御手段は最新の異常表示のみ数値表示手段にて時系列で複数回に分けて行うので、使用者は複数の異常情報を逐次発生の都度知ることができるとともに、最近発生した異常が何であるかを知ることができる。
【００１５】
第４の発明は、特に、第１〜３の発明の制御手段を、タイマ選択状態表示手段にて、数値表示手段でタイマ残時間表示を行っているときは、どの加熱手段のタイマ残時間表示であるかを表示し、前記数値表示手段で異常表示を行っているときは、どの加熱手段の異常表示であるかを表示するとすることにより、使用者がどの加熱手段のタイマ残時間または異常情報を数値表示手段で表示しているかを把握できるようにすることができる。
【００１６】
第５の発明は、特に、第１〜４の発明の制御手段を、数値表示手段でタイマ残時間表示を行っているときは、タイマ残時間変更手段からの入力に基づき前記タイマ残時間を変更し、前記数値表示手段で異常表示を行っているときは、前記タイマ残時間変更手段からの入力に基づくタイマ残時間の変更を禁止するとすることにより、数値表示手段にて異常表示のみ行っているときにタイマ残時間を変更しても、変更後のタイマ残時間を確認する術がないといった不具合を防ぐことができる。
【００１７】
第６の発明は、特に、第１〜５の発明の制御手段を、数値表示手段で異常表示を行っているときに、強制タイマ表示手段からの入力に基づき前記数値表示手段での表示内容を前記異常表示からタイマ残時間表示に切り替えるようにするとすることにより、ある加熱手段の異常により数値表示手段にて異常表示のみ行っている場合でも、使用者の意図によって他の加熱手段のタイマ残時間を確認および変更できるようにすることができる。
【００１８】
第７の発明は、特に、第６の発明の制御手段を、数値表示手段での表示内容を異常表示からタイマ残時間表示に切り替えた後、所定時間経過すると前記数値表示手段での表示内容を前記タイマ残時間表示から前記異常表示に戻すようにするとすることにより、ある加熱手段の異常により数値表示手段にて異常表示のみ行っている場合でも、使用者の意図によって他の加熱手段のタイマ残時間を確認および変更できるようにするとともに、所定時間経過すると数値表示手段にて異常表示のみ行う状態に戻し、使用者に異常情報を優先して知らせて、異常状態に対する迅速かつ的確な対応を促すことができる。
【００１９】
第８の発明は、特に、第７の発明の制御手段を、数値表示手段での表示内容をタイマ残時間表示から異常表示に戻すための所定時間の計時を、選択手段またはタイマ残時間変更手段からの入力に基づきクリアし計時し直すようにするとすることにより、使用者がタイマ残時間を変更している最中に、数値表示手段の表示内容がタイマ残時間表示から異常表示に戻ってしまうのを防ぐことができる。
【００２０】
第９の発明は、特に、第１〜５発明の制御手段を、数値表示手段で異常表示を行っているときに、何れかの加熱手段のタイマ残時間が０になると、前記数値表示手段の表示内容を前記異常表示からタイマ残時間表示に切り替えるようにするとすることにより、ある加熱手段の異常により数値表示手段にて異常表示のみ行っている場合でも、他の加熱手段のタイマ機能が終了することを使用者に知らせることができる。
【００２１】
第１０の発明は、特に、第９の発明の制御手段を、数値表示手段での表示内容を異常表示からタイマ残時間表示に切り替えた後、タイマ残時間が０になって加熱終了する旨の報知が終了すると前記数値表示手段での表示内容を前記タイマ残時間表示から前記異常表示に戻すようにするとすることにより、ある加熱手段の異常により数値表示手段にて異常表示のみ行っている場合でも、他の加熱手段のタイマ機能が終了することを使用者に知らせるとともに、タイマ機能が終了する旨の報知が終了すると数値表示手段での表示内容をタイマ残時間表示から異常表示に戻し、使用者に異常情報を優先して知らせて、異常状態に対する迅速かつ的確な対応を促すことができる。
【００２２】
以下、本発明の実施の形態について、図面を参照しながら説明する。なお、この実施の形態によって本発明が限定されるものではない。
【００２３】
（実施の形態１）
図１は、本発明の実施の形態１における加熱調理器のブロック図である。
【００２４】
図１に示すように、本実施の形態における加熱調理器は、加熱手段として第１の加熱手段１と第２の加熱手段２の２つを備え、操作手段３で、第１の加熱手段１および第２の加熱手段２の加熱有無や火力、およびタイマ機能の使用有無やタイマ残時間を設定する。また、異常検知手段４で、第１の加熱手段１および第２の加熱手段２で発生した異常を検知する。
【００２５】
そして、第１の表示手段５で、第１の加熱手段１および第２の加熱手段２の加熱有無や火力を表示し、第２の表示手段６で、操作手段３で選択された加熱手段のタイマ残時間を表示、または異常検知手段４で検知した異常状態に対応して異常情報を「アルファベット」と「数字２桁」にて時系列で交互に表示する。
【００２６】
なお、操作手段３は、第１の操作領域７、第２の操作領域８、および第３の操作領域９で構成されており、第１の操作領域７で第１の加熱手段１の加熱有無や火力を設定し、第２の操作領域８で第２の加熱手段２の加熱有無や火力を設定し、第３の操作領域９でタイマ機能の使用有無やタイマ残時間を設定する。更に、第１の操作領域７は、「切／入」キー７ａ、「アップ」キー７ｂ、および「ダウン」キー７ｃで構成されており、「切／入」キー７ａで第１の加熱手段１の加熱有無を設定し、「アップ」キー７ｂおよび「ダウン」キー７ｃで火力設定を変更する。更に、第２の操作領域８は、「切／入」キー８ａ、「アップ」キー８ｂ、および「ダウン」キー８ｃで構成されており、「切／入」キー８ａで第２の加熱手段２の加熱有無を設定し、「アップ」キー８ｂおよび「ダウン」キー８ｃで火力設定を変更する。更に、第３の操作領域９は、「選択」キー９ａ、「分」キー９ｂ、および「取消」キー９ｃで構成されており、「選択」キー９ａでタイマ残時間表示する加熱手段を選択し、「分」キー９ｂでタイマ残時間を変更し、「取消」キー９ｃでタイマ機能を取り消す。
【００２７】
また、第１の表示手段５は、第１の表示領域１０と、第２の表示領域１１で構成されており、第１の表示領域１０で第１の加熱手段１の加熱有無や火力を表示し、第２の表示領域１１で第２の加熱手段２の加熱有無や火力を表示する。更に、第１の表示領域１０は、「加熱」ＬＥＤ（発光ダイオード）１０ａと、「火力」ＬＥＤ１０ｂで構成されており、「加熱」ＬＥＤ１０ａで第１の加熱手段１の加熱有無を表示し、「火力」ＬＥＤ１０ｂで火力「弱」・「中」・「強」の何れであるかを表示する。更に、第２の表示領域１１は、「加熱」ＬＥＤ１１ａと、「火力」ＬＥＤ１１ｂで構成されており、「加熱」ＬＥＤ１１ａで第２の加熱手段２の加熱有無を表示し、「火力」ＬＥＤ１１ｂで火力「弱」・「中」・「強」の何れであるかを表示する。
【００２８】
更に、第２の表示手段６は、第３の表示領域１２で構成されており、第３の表示領域１２でタイマ残時間または異常情報を表示する。更に、第３の表示領域１２は、数値表示手段１２ａ、「第１」ＬＥＤ１２ｂ、および「第２」ＬＥＤ１２ｃで構成されており、数値表示手段１２ａでタイマ残時間または異常情報を２桁の７セグＬＥＤにてアルファベットまたは数字で表示し、「第１」ＬＥＤ１２ｂで数値表示手段１２ａの表示が第１の加熱手段１の情報であることを示し、「第２」ＬＥＤ１２ｃで数値表示手段１２ａの表示が第２の加熱手段２の情報であることを示す。そして、制御手段１３が、これらの構成手段を統括的に制御する。
【００２９】
以上のように構成された加熱調理器について、その動作、作用を説明する。
【００３０】
まず、第１の加熱手段１および第２の加熱手段２における加熱動作について説明する。制御手段１３は、第１の加熱手段１および第２の加熱手段２において、加熱手段の出力をオフする初期モードと、「弱」・「中」・「強」の３段階の火力設定を備えて、所定の火力設定にて加熱手段を出力する加熱モードの２つの動作モードをそれぞれ備えている。
【００３１】
そして、制御手段１３は、第１の加熱手段１について、第１の操作領域７の加熱「切／入」キー７ａからの入力に基づき動作モードを初期モード→加熱モードの火力「強」に変更し、第１の表示領域１０の「加熱」ＬＥＤ１０ａを点灯し「火力」ＬＥＤ１０ｂで火力「強」を示す表示を行う。その後、制御手段１３は、第１の操作領域７の「ダウン」キー７ｃからの入力に基づき火力設定を「強」→「中」→「弱」に変更して「火力」ＬＥＤ１０ｂで変更後の火力設定を示す表示を行い、第１の操作領域７の「アップ」キー７ｂからの入力に基づき火力設定を「弱」→「中」→「強」に変更して「火力」ＬＥＤ１０ｂで変更後の火力設定を示す表示を行い、加熱「切／入」キー７ａからの入力に基づき動作モードを加熱モード→初期モードに変更して「加熱」ＬＥＤ１０ａおよび「火力」ＬＥＤ１０ｂを消灯する。
【００３２】
また、制御手段１３は、第２の加熱手段２について、第２の操作領域８の加熱「切／入」キー８ａからの入力に基づき動作モードを初期モード→加熱モードの火力「強」に変更し、第２の表示領域１１の「加熱」ＬＥＤ１１ａを点灯し「火力」ＬＥＤ１１ｂで火力「強」を示す表示を行う。その後、制御手段１３は、第２の操作領域８の「ダウン」キー８ｃからの入力に基づき火力設定を「強」→「中」→「弱」に変更して「火力」ＬＥＤ１１ｂで変更後の火力設定を示す表示を行い、第２の操作領域８の「アップ」キー８ｂからの入力に基づき火力設定を「弱」→「中」→「強」に変更して「火力」ＬＥＤ１１ｂで変更後の火力設定を示す表示を行い、加熱「切／入」キー８ａからの入力に基づき動作モードを加熱モード→初期モードに変更して「加熱」ＬＥＤ１１ａおよび「火力」ＬＥＤ１１ｂを消灯する。
【００３３】
次に、第１の加熱手段１および第２の加熱手段２におけるタイマ動作について説明する。
【００３４】
制御手段１３は、第１の加熱手段１および第２の加熱手段２において、それぞれ１分〜９時間までのタイマ機能を備えている。
【００３５】
そして、制御手段１３は、第１の加熱手段１と第２の加熱手段２がともにタイマ設定されていない状態で、第３の操作領域９の「選択」キー９ａからの入力に基づき第１の加熱手段１のタイマ設定が可能な状態になり、第３の表示領域１２の「第２」ＬＥＤ１２ｃを消灯し、「第１」ＬＥＤ１２ｂを点滅するとともに、第１の加熱手段１のタイマ残時間＝０分であることを示すために数値表示手段１２ａで「−−」と表示する。その後、制御手段１３は、第３の操作領域９の「分」キー９ｂからの入力に基づき、第１の加熱手段１のタイマ残時間を０分〜２０分では１分単位、２０分〜９０分では５分単位、９０分→２時間、２時間〜９時間では１時間単位で増加し、９時間→０分に変更して、数値表示手段１２ａで変更後のタイマ残時間をゼロサプレス表示する。また、制御手段１３は、第３の操作領域９の「取消」キー９ｃからの入力に基づき、第１の加熱手段１のタイマ設定を取り消して、数値表示手段１２ａおよび「第１」ＬＥＤ１２ｂを消灯する。
【００３６】
また、制御手段１３は、前記第１の加熱手段１のタイマ設定が可能な状態で、第３の操作領域９の「選択」キー９ａからの入力に基づき第２の加熱手段２のタイマ設定が可能な状態になり、第３の表示領域１２の「第１」ＬＥＤ１２ｂを第１の加熱手段１のタイマ残時間≠０分の場合は点灯、タイマ残時間＝０分の場合は消灯し、「第２」ＬＥＤ１２ｃを点滅するとともに、第２の加熱手段２のタイマ残時間＝０分であることを示すために数値表示手段１２ａで「−−」表示する。その後、制御手段１３は、第３の操作領域９の「分」キー９ｂからの入力に基づき、第２の加熱手段２のタイマ残時間を０分〜２０分では１分単位、２０分〜９０分では５分単位、９０分→２時間、２時間〜９時間では１時間単位で増加し、９時間→０分に変更して、数値表示手段１２ａで変更後のタイマ残時間をゼロサプレス表示する。また、制御手段１３は、第３の操作領域９の「取消」キー９ｃからの入力に基づき、第２の加熱手段２のタイマ設定を取り消して、「第２」ＬＥＤ１２ｃを消灯し、「第１」ＬＥＤが点灯の場合は、「第１」ＬＥＤ１２ｂを点滅し数値表示手段１２ａで第１の加熱手段１のタイマ残時間を表示して第１の加熱手段１のタイマ設定が可能な状態に戻り、「第１」ＬＥＤ１２ｂが消灯の場合は、数値表示手段１２ａを消灯し、第１の加熱手段１と第２の加熱手段２がともにタイマ設定されていない状態になる。
【００３７】
更に、制御手段１３は、前記第２の加熱手段２のタイマ設定が可能な状態で、第３の操作領域９の「選択」キー９ａからの入力に基づき前記第１の加熱手段１のタイマ設定が可能な状態になり、第３の表示領域１２の「第２」ＬＥＤ１２ｃを第２の加熱手段２のタイマ残時間≠０分の場合は点灯、タイマ残時間＝０分の場合は消灯し、「第１」ＬＥＤ１２ｂを点滅するとともに、数値表示手段１２ａで第１の加熱手段１のタイマ残時間をゼロサプレス表示する。
【００３８】
なお、セロサプレス表示の内容を更に詳細に説明すると、タイマ残時間が１分〜９０分では分単位で「  １」〜「９０」と表示し、９１分〜９時間では時間単位で「２ｈ」〜「９ｈ」と表示し、「分」キー９ｂにより０分に設定されたときは「−−」と表示する。
【００３９】
そして、第１の加熱手段１の動作モード＝加熱モードのときは、経過時間に応じて第１の加熱手段１のタイマ残時間を減算し、その結果０分になると、制御手段１３は、タイマ終了報知（ブザー１４を０．５秒オン／０．５秒オフで５回吹鳴）を開始し、数値表示手段１２ａにて「  ０」と表示するとともに、前記タイマ終了報知が終了すると同時に第１の加熱手段１の動作モードを加熱モード→初期モードに変更し、第１の表示領域１０の「加熱」ＬＥＤ１０ａと「火力」ＬＥＤ１０ｂ、第３の表示領域１２の数値表示手段１２ａ（但し、第２の加熱手段２のタイマ残時間がない場合）と「第１」ＬＥＤ１２ｂを消灯する。
【００４０】
同様にして、第２の加熱手段２の動作モード＝加熱モードのときは、経過時間に応じて第２の加熱手段１のタイマ残時間を減算し、その結果０分になると、制御手段１３は、タイマ終了報知（ブザー１４を０．５秒オン／０．５秒オフで５回吹鳴）を開始し、数値表示手段１２ａにて「  ０」と表示するとともに、前記タイマ終了報知が終了すると同時に第２の加熱手段２の動作モードを加熱モード→初期モードに変更し、第２の表示領域１１の「加熱」ＬＥＤ１１ａと「火力」ＬＥＤ１１ｂ、第３の表示領域１２の数値表示手段１２ａ（但し、第１の加熱手段１のタイマ残時間がない場合）と「第２」ＬＥＤ１２ｃを消灯する。
【００４１】
以上の構成により、タイマ残時間表示する数値表示手段１２ａを１つにして部品のコストおよび取り付けスペースを抑制しつつ、使用者は、「選択」キー９ａを操作して、第１の加熱手段１のタイマ残時間と第２の加熱手段２のタイマ残時間から選択して数値表示手段１２ａに表示することができるとともに、「第１」ＬＥＤ１２ｂおよび「第２」ＬＥＤ１２ｃの点灯／点滅／消灯状態を見て、第１の加熱手段１および第２の加熱手段２のそれぞれについてのタイマ残時間の有無、および第１の加熱手段１と第２の加熱手段２のどちらが数値表示手段１２ａでタイマ残時間表示されているかを知ることができる。
【００４２】
次に、異常発生時の動作について説明する。異常検知手段４は、第１の加熱手段１および第２の加熱手段２それぞれにおいて、温度検知用の中央サーミスタおよびヒータ間サーミスタの断線、ヒューズ破断、リレー接点溶着、制御手段１３からの受信異常、機器への商用電源１００Ｖ／２００Ｖの誤配線の異常などを検知し、これら異常状態に関する情報を異常情報として制御手段１３へ出力する。
【００４３】
そして、制御手段１３は、異常検知手段４からの入力に基づき、第１の加熱手段１および第２の加熱手段２に関する異常を検知し、異常情報を「Ｈ」または「Ｕ」による「アルファベット」と「数字２桁」の組み合わせによる異常コードに変換し、第３の表示領域１２の数値表示手段１２ａで「アルファベット」と「数字２桁」を時系列で２回に分けて表示するとともに、第１の加熱手段１が異常の場合は「第１」ＬＥＤ１２ｂを点滅し、第２の加熱手段２が異常の場合は「第２」ＬＥＤ１２ｃを点滅する。
【００４４】
また、各異常には優先順位が設けられており、第１の加熱手段１と第２の加熱手段２のそれぞれで複数の異常が発生した場合や、第１の加熱手段１と第２の加熱手段２でともに異常が発生した場合には、優先順位の最も高い異常情報のみ、第３の表示領域１２の数値表示手段１２ａ、「第１」ＬＥＤ１２ｂまたは「第２」ＬＥＤ１２ｃで表示される。
【００４５】
なお、第１の加熱手段１および第２の加熱手段２における異常の種類と異常コード・優先順位の関係を表１に示す。
【００４６】
【表１】
2007164997.tif 000003
【００４７】
ちなみに、主に使用者の誤使用により発生する異常を「Ｕ＊＊」とし、主に機器の故障や不良、または施工誤りにより発生する異常を「Ｈ＊＊」としている。また、機器への商用電源１００Ｖ／２００Ｖの誤配線については、第１の加熱手段１および第２の加熱手段２で同時発生するので同一の異常コードおよび優先順位を設定し、その他の異常については、第１の加熱手段１または第２の加熱手段２で独立して発生するので個別の異常コードおよび優先順位を設けている。
【００４８】
さて、この異常表示に関して、更に具体例を上げて説明する。まず、第１の加熱手段１の動作モード＝加熱モードの火力「強」、タイマ残時間＝１０分で、第１の加熱手段１のタイマ設定が可能な場合は、第１の表示領域１０の「加熱」ＬＥＤ１０ａを点灯して「火力」ＬＥＤ１０ｂで火力「強」を示す表示を行い、第３の表示領域１２の「第１」ＬＥＤ１２ｂを点滅して数値表示手段１２ａで「１０」と表示する。
【００４９】
このとき、例えば、第１の加熱手段１のヒューズが破断した場合、異常検知手段４は、第１の加熱手段１のヒューズ断線を示す異常情報を制御手段１３へ出力し、制御手段１３は、この異常情報を入力して第１の加熱手段１の出力をオフし、第１の表示領域１０の「加熱」ＬＥＤ１０ａおよび「火力」ＬＥＤ１０ｂを消灯するとともに、第３の表示領域１２の「第１」ＬＥＤ１２ｂを点滅し、数値表示手段１２ａで「Ｈ  」と「０４」を時系列で交互に表示して第１の加熱手段１のヒューズ断線を示す異常コード「Ｈ０４」を表示する。
【００５０】
そして、制御手段１３は、第１の操作領域７の「切／入」キー７ａ、「アップ」キー７ｂ、および「ダウン」キー７ｃの入力を無効にするとともに、第３の操作領域９の「分」キー９ｂおよび「取消」キー９ｃの入力を無効とする。
【００５１】
また、このとき、例えば、第２の加熱手段２の中央サーミスタが断線した場合、異常検知手段４は第２の加熱手段２の中央サーミスタ断線を示す異常情報を制御手段１３へ出力し、制御手段１３は、この異常情報を入力して第１の加熱手段１の出力および第１の表示領域１０の「加熱」ＬＥＤ１０ａと「火力」ＬＥＤ１０ｂの表示を維持しつつ、第３の表示領域１２の「第１」ＬＥＤ１２ｂを点滅→点灯に変更し、「第２」ＬＥＤ１２ｃを点滅し、数値表示手段１２ａで「Ｈ  」と「０７」を時系列で交互に表示して第２の加熱手段２の中央サーミスタ断線を示す異常コード「Ｈ０７」を表示する。
【００５２】
そして、制御手段１３は、第１の操作領域７の「切／入」キー７ａ、「アップ」キー７ｂ、および「ダウン」キー７ｃの入力は有効であるが、第３の操作領域９の「分」キー９ｂおよび「取消」キー９ｃの入力を無効とする。
【００５３】
同様に、第２の加熱手段２の動作モード＝加熱モード、タイマ残時間あり、第１の加熱手段１のタイマ設定が可能な場合は、第２の表示領域１１の「加熱」ＬＥＤ１１ａを点灯して「火力」ＬＥＤ１１ｂで選択された火力設定の表示を行い、第３の表示領域１２の「第２」ＬＥＤ１２ｃを点滅して数値表示手段１２ａで第２の加熱手段２のタイマ残時間を表示する。
【００５４】
このとき、例えば、第２の加熱手段２のヒータ間サーミスタが断線した場合、異常検知手段４は、第２の加熱手段２のヒータ間サーミスタ断線を示す異常情報を制御手段１３へ出力し、制御手段１３は、この異常情報を入力して第２の加熱手段２の出力をオフし、第２の表示領域１１の「加熱」ＬＥＤ１１ａおよび「火力」ＬＥＤ１１ｂを消灯するとともに、第３の表示領域１２の「第２」ＬＥＤ１２ｃを点滅し、数値表示手段１２ａで「Ｈ  」と「０９」を時系列で交互に表示して第２の加熱手段２のヒータ間サーミスタ断線を示す異常コード「Ｈ０９」を表示する。
【００５５】
そして、制御手段１３は、第２の操作領域８の「切／入」キー８ａ、「アップ」キー８ｂ、および「ダウン」キー８ｃの入力を無効にするとともに、第３の操作領域９の「分」キー９ｂおよび「取消」キー９ｃの入力を無効とする。
【００５６】
また、このとき、例えば、第１の加熱手段１のリレー接点が溶着した場合、異常検知手段４は第１の加熱手段１のリレー接点溶着を示す異常情報を制御手段１３へ出力し、制御手段１３は、この異常情報を入力して第２の加熱手段２の出力および第２の表示領域１１の「加熱」ＬＥＤ１１ａと「火力」ＬＥＤ１１ｂの表示を維持しつつ、第３の表示領域１２の「第２」ＬＥＤ１２ｃを点滅→点灯に変更し、「第１」ＬＥＤ１２ｂを点滅し、数値表示手段１２ａで「Ｈ  」と「１１」を時系列で交互に表示して第１の加熱手段１のリレー接点溶着を示す異常コード「Ｈ１１」を表示する。
【００５７】
そして、制御手段１３は、第２の操作領域８の「切／入」キー８ａ、「アップ」キー８ｂ、および「ダウン」キー８ｃの入力は有効であるが、第３の操作領域９の「分」キー９ｂおよび「取消」キー９ｃの入力を無効とする。
【００５８】
以上の構成により、２桁の数値表示手段１２ａを１個採用して更に部品のコストおよび取り付けスペースを抑制するとともに、数値表示手段１２ａの桁数よりも多い３桁の異常情報を使用者に的確に知らせることができる。
【００５９】
また、数値表示手段１２ａで異常表示を行っているときは、使用者は、「第１」ＬＥＤ１２ｂまたは「第２」ＬＥＤ１２ｃの点滅を見て、第１の加熱手段１と第２の加熱手段２のうち、どちらの加熱手段の異常情報を数値表示手段１２ａで表示しているかを知ることができる。
【００６０】
更に、異常情報をタイマ残時間表示よりも優先して表示するので、使用者は異常情報を迅速かつ的確に把握することができる。
【００６１】
更に、数値表示手段１２ａで異常表示を行っているときは、「分」キー９ｂおよび「取消」キー９ｃの入力を無効にして、タイマ残時間を変更しても変更後のタイマ残時間を確認する術がないといった不具合を防ぐことができる。
【００６２】
そして、第１の加熱手段１のヒューズ破断と、第２の加熱手段２のヒータ間サーミスタ断線が同時に発生した場合、異常検知手段４は、第１の加熱手段１のヒューズ破断を示す異常情報と、第２の加熱手段２のヒータ間サーミスタ断線を示す異常情報をそれぞれ制御手段１３へ出力する。そして、制御手段１３は、これら異常情報を入力して、第１の加熱手段１および第２の加熱手段２の出力をオフし、第１の表示領域１０の「加熱」ＬＥＤ１０ａおよび「火力」ＬＥＤ１０ｂを消灯し、第２の表示領域１１の「加熱」ＬＥＤ１１ａおよび「火力」ＬＥＤ１１ｂを消灯するとともに、第３の表示領域１２の「第２」ＬＥＤ１２ｃを消灯し、「第１」ＬＥＤ１２ｂを点滅し、数値表示手段１２ａで「Ｈ  」と「０４」を時系列で交互に表示して、優先順位の高い第１の加熱手段１のヒューズ断線を示す異常コード「Ｈ０４」を表示する。
【００６３】
以上の構成により、複数の加熱手段で同時に異常が発生しても、優先順位の高い異常表示のみ数値表示手段１２ａにて時系列で交互に表示し、複数の異常情報の時系列交互表示が重なって個々の異常情報が識別できなくなるのを防ぎ、使用者は優先順位の高い異常情報を迅速かつ的確に把握することができる。
【００６４】
また、複数の加熱手段で異常が発生したときに、優先順位の高い異常表示の代わりに、最新の異常表示のみ数値表示手段１２ａにて時系列で交互に表示すると、使用者は複数の異常情報について逐次発生の都度知ることができるとともに、最近発生した異常が何であるかを知ることができる。
【００６５】
また、２つを組み合わせて、逐次発生する異常については最新の異常情報のみ数値表示手段１２ａにて時系列で交互に表示し、かつ同時発生する異常については優先順位の高い異常表示のみ数値表示手段１２ａにて時系列で交互に表示とすることもできる。
【００６６】
（実施の形態２）
図１は、本発明の実施の形態２における加熱調理器のブロック図であり、実施の形態１と同一の構成手段からなる。実施の形態１と異なる点は、制御手段１３が、第３の表示領域１２の数値表示手段１２ａで異常表示し、かつ異常状態でない加熱手段にタイマ残時間がある場合は、第３の操作領域９の「選択」キー９ａからの入力に基づき、数値表示手段１２ａでの表示を前記異常表示からタイマ残時間表示に変更して、第３の操作領域９の「分」キー９ｂおよび「取消」キー９ｃの入力を有効とする。そして、制御手段１３が、数値表示手段１２ａでの表示を前記異常表示からタイマ残時間表示に変更してから、「選択」キー９ａ、「分」キー９ｂ、および「取消」キー９ｃの何れの入力もない状態が５秒経過すると、数値表示手段１２ａでの表示を前記タイマ残時間表示から前記異常表示に戻すようにしたことである。
【００６７】
以上のように構成された加熱調理器について、その動作、作用を説明する。
【００６８】
まず、第１の加熱手段１の動作モード＝加熱モードの火力「強」、タイマ残時間＝１０分で、第１の加熱手段１のタイマ設定が可能な場合は、第１の表示領域１０の「加熱」ＬＥＤ１０ａを点灯して「火力」ＬＥＤ１０ｂで火力「強」を示す表示を行い、第３の表示領域１２の「第１」ＬＥＤ１２ｂを点滅して数値表示手段１２ａで「１０」と表示する。
【００６９】
このとき、例えば、第２の加熱手段２の中央サーミスタが断線した場合、異常検知手段４は第２の加熱手段２の中央サーミスタ断線を示す異常情報を制御手段１３へ出力し、制御手段１３は、この異常情報を入力して第１の加熱手段１の出力および第１の表示領域１０の「加熱」ＬＥＤ１０ａと「火力」ＬＥＤ１０ｂの表示を維持しつつ、第３の表示領域１２の「第１」ＬＥＤ１２ｂを点滅→点灯に変更し、「第２」ＬＥＤ１２ｃを点滅し、数値表示手段１２ａで「Ｈ  」と「０７」を時系列で交互に表示して第２の加熱手段２の中央サーミスタ断線を示す異常コード「Ｈ０７」を表示する。
【００７０】
そして、制御手段１３は、第１の操作領域７の「切／入」キー７ａ、「アップ」キー７ｂ、および「ダウン」キー７ｃの入力は有効であるが、第３の操作領域９の「分」キー９ｂおよび「取消」キー９ｃの入力を無効とする。
【００７１】
しかし、制御手段１３は、第３の操作領域９の「選択」キー９ａからの入力に基づき、第３の表示領域１２の「第１」ＬＥＤ１２ｂを点滅し、「第２」ＬＥＤ１２ｃを消灯し、数値表示手段１２ａでの表示を、前記「Ｈ  」と「０７」の時系列交互表示から、第１の加熱手段１のタイマ残時間である「１０」に変更する。その後は、制御手段１３は、第３の操作領域９の「分」キー９ｂからの入力に基づき、第１の加熱手段１のタイマ残時間を０分〜２０分では１分単位、２０分〜９０分では５分単位、９０分→２時間、２時間〜９時間では１時間単位で増加し、９時間→０分に変更して、数値表示手段１２ａで変更後のタイマ残時間をゼロサプレス表示する。また、制御手段１３は、第３の操作領域９の「取消」キー９ｃからの入力に基づき、第１の加熱手段１のタイマ設定を取り消す。
【００７２】
また、制御手段１３は、第１の加熱手段１のタイマ残時間を表示している状態で、第３の操作領域９の「選択」キー９ａ、「分」キー９ｂ、および「取消」キー９ｃの何れの入力もない状態が５秒経過すると、数値表示手段１２ａでの表示を、前記タイマ残時間表示から、前記「Ｈ  」と「０７」の時系列交互表示に戻す。
【００７３】
同様に、第２の加熱手段２の動作モード＝加熱モード、タイマ残時間あり、第１の加熱手段１のタイマ設定が可能な場合は、第２の表示領域１１の「加熱」ＬＥＤ１１ａを点灯して「火力」ＬＥＤ１１ｂで選択された火力設定の表示を行い、第３の表示領域１２の「第２」ＬＥＤ１２ｃを点滅して数値表示手段１２ａで第２の加熱手段２のタイマ残時間を表示する。
【００７４】
このとき、例えば、第１の加熱手段１のリレー接点が溶着した場合、異常検知手段４は第１の加熱手段１のリレー接点溶着を示す異常情報を制御手段１３へ出力し、制御手段１３は、この異常情報を入力して第２の加熱手段２の出力および第２の表示領域１１の「加熱」ＬＥＤ１１ａと「火力」ＬＥＤ１１ｂの表示を維持しつつ、第３の表示領域１２の「第２」ＬＥＤ１２ｃを点滅→点灯に変更し、「第１」ＬＥＤ１２ｂを点滅し、数値表示手段１２ａで「Ｈ  」と「１１」を時系列で交互に表示して第１の加熱手段１のリレー接点溶着を示す異常コード「Ｈ１１」を表示する。
【００７５】
そして、制御手段１３は、第２の操作領域８の「切／入」キー８ａ、「アップ」キー８ｂ、および「ダウン」キー８ｃの入力は有効であるが、第３の操作領域９の「分」キー９ｂおよび「取消」キー９ｃの入力を無効とする。
【００７６】
しかし、制御手段１３は、第３の操作領域９の「選択」キー９ａからの入力に基づき、第３の表示領域１２の「第２」ＬＥＤ１２ｃを点滅し、「第１」ＬＥＤ１２ｂを消灯し、数値表示手段１２ａでの表示を、前記「Ｈ  」と「１１」の時系列交互表示から、第２の加熱手段２のタイマ残時間表示に変更する。その後は、制御手段１３は、第３の操作領域９の「分」キー９ｂからの入力に基づき、第２の加熱手段２のタイマ残時間を０分〜２０分では１分単位、２０分〜９０分では５分単位、９０分→２時間、２時間〜９時間では１時間単位で増加し、９時間→０分に変更して、数値表示手段１２ａで変更後のタイマ残時間をゼロサプレス表示する。また、制御手段１３は、第３の操作領域９の「取消」キー９ｃからの入力に基づき、第２の加熱手段２のタイマ設定を取り消す。
【００７７】
また、制御手段１３は、前記第２の加熱手段２のタイマ残時間を表示している状態で、第３の操作領域９の「選択」キー９ａ、「分」キー９ｂ、および「取消」キー９ｃの何れの入力もない状態が５秒経過すると、数値表示手段１２ａでの表示を、前記タイマ残時間の点灯表示から、前記「Ｈ  」と「１１」の時系列交互表示に戻す。
【００７８】
以上の構成により、ある加熱手段で異常が発生し数値表示手段１２ａで異常表示を行っている場合でも、使用者の意図によって数値表示手段１２ａの表示内容を異常表示から他の加熱手段のタイマ残時間表示に変更して、タイマ残時間を確認および変更できるようにすることができる。
【００７９】
また、制御手段１３は、使用者の意図によって数値表示手段１２ａの表示内容を異常表示からタイマ残時間表示に変更しても、５秒経過すると、数値表示手段１２ａの表示内容をタイマ残時間表示から異常表示に戻して、使用者へ異常情報を優先的に知らせて、異常状態に対する迅速かつ的確な対応を促すことができる。
【００８０】
更に、制御手段１３は、数値表示手段１２ａの表示内容を異常表示からタイマ残時間表示に変更し、「分」キー９ｂからの入力に基づきタイマ残時間を変更している最中は、数値表示手段１２ａの表示内容がタイマ残時間表示から異常表示に戻ってしまうのを防ぐことができる。
【００８１】
なお、実施の形態２において、第３の操作領域９の「選択」キー９ａからの入力に基づき、数値表示手段１２ａの表示内容を、異常情報の時系列交互表示からタイマ残時間表示に変更しているが、強制タイマ表示手段として個別に設けた構成としても同様の効果を得ることができる。
【００８２】
（実施の形態３）
図１は、本発明の実施の形態３における加熱調理器のブロック図であり、実施の形態１と同一の構成手段からなる。実施の形態１と異なる点は、制御手段１３が、第３の表示領域１２の数値表示手段１２ａで異常表示し、かつ異常状態でない加熱手段のタイマ残時間を減算した結果０分になると、タイマ終了報知（ブザー１４を０．５秒オン／０．５秒オフで５回吹鳴）を開始し、数値表示手段１２ａでの表示を前記異常表示からタイマ残時間表示に変更して「  ０」と表示する。そして、制御手段１３が、前記タイマ終了報知が終了すると、数値表示手段１２ａでの表示を前記タイマ残時間表示から前記異常表示に戻すようにしたことである。
【００８３】
以上のように構成された加熱調理器について、その動作、作用を説明する。
【００８４】
まず、第１の加熱手段１の動作モード＝加熱モードの火力「強」、タイマ残時間＝１０分で、第１の加熱手段１のタイマ設定が可能な場合は、第１の表示領域１０の「加熱」ＬＥＤ１０ａを点灯して「火力」ＬＥＤ１０ｂで火力「強」を示す表示を行い、第３の表示領域１２の「第１」ＬＥＤ１２ｂを点滅して数値表示手段１２ａで「１０」と表示する。
【００８５】
このとき、例えば、第２の加熱手段２の中央サーミスタが断線した場合、異常検知手段４は第２の加熱手段２の中央サーミスタ断線を示す異常情報を制御手段１３へ出力し、制御手段１３は、この異常情報を入力して第１の加熱手段１の出力および第１の表示領域１０の「加熱」ＬＥＤ１０ａと「火力」ＬＥＤ１０ｂの表示を維持しつつ、第３の表示領域１２の「第１」ＬＥＤ１２ｂを点滅→点灯に変更し、「第２」ＬＥＤ１２ｃを点滅し、数値表示手段１２ａで「Ｈ  」と「０７」を時系列で交互に表示して第２の加熱手段２の中央サーミスタ断線を示す異常コード「Ｈ０７」を表示する。
【００８６】
しかし、制御手段１３は、異常でない第１の加熱手段１のタイマ残時間については、経過時間に応じて減算し、その結果０分になると、タイマ終了報知（ブザー１４を０．５秒オン／０．５秒オフで５回吹鳴）を開始するともに、第３の表示領域１２の「第１」ＬＥＤ１２ｂを点滅し、「第２」ＬＥＤ１２ｃを消灯し、数値表示手段１２ａでの表示を、前記「Ｈ  」と「０７」の時系列交互表示から、第１の加熱手段１のタイマ残時間である「  ０」に変更する。
【００８７】
そして、前記タイマ終了報知が終了すると、数値表示手段１２ａでの表示を、前記タイマ残時間表示「  ０」から、前記「Ｈ  」と「０７」の時系列交互表示に戻す。
【００８８】
同様に、第２の加熱手段２の動作モード＝加熱モード、タイマ残時間あり、第１の加熱手段１のタイマ設定が可能な場合は、第２の表示領域１１の「加熱」ＬＥＤ１１ａを点灯して「火力」ＬＥＤ１１ｂで選択された火力設定の表示を行い、第３の表示領域１２の「第２」ＬＥＤ１２ｃを点滅して数値表示手段１２ａで第２の加熱手段２のタイマ残時間を表示する。
【００８９】
このとき、例えば、第１の加熱手段１のリレー接点が溶着した場合、異常検知手段４は第１の加熱手段１のリレー接点溶着を示す異常情報を制御手段１３へ出力し、制御手段１３は、この異常情報を入力して第２の加熱手段２の出力および第２の表示領域１１の「加熱」ＬＥＤ１１ａと「火力」ＬＥＤ１１ｂの表示を維持しつつ、第３の表示領域１２の「第２」ＬＥＤ１２ｃを点滅→点灯に変更し、「第１」ＬＥＤ１２ｂを点滅し、数値表示手段１２ａで「Ｈ  」と「１１」を時系列で交互に表示して第１の加熱手段１のリレー接点溶着を示す異常コード「Ｈ１１」を表示する。
【００９０】
しかし、制御手段１３は、異常でない第２の加熱手段２のタイマ残時間については、経過時間に応じて減算し、その結果０分になると、タイマ終了報知（ブザー１４を０．５秒オン／０．５秒オフで５回吹鳴）を開始するともに、第３の表示領域１２の「第２」ＬＥＤ１２ｃを点滅し、「第１」ＬＥＤ１２ｂを消灯し、数値表示手段１２ａでの表示を、前記「Ｈ  」と「１１」の時系列交互表示から、第２の加熱手段２のタイマ残時間である「  ０」に変更する。
【００９１】
そして、前記タイマ終了報知が終了すると、数値表示手段１２ａでの表示を、前記タイマ残時間表示「  ０」から、前記「Ｈ  」と「１１」の時系列交互表示に戻す。
【００９２】
以上の構成により、ある加熱手段で異常が発生し数値表示手段１２ａで異常表示を行っている場合でも、他の加熱手段のタイマ機能が終了することを使用者に知らせることができる。
【００９３】
また、タイマ機能が終了し数値表示手段１２ａの表示内容を異常表示から他の加熱手段のタイマ残時間表示に変更しても、タイマ機能が終了した旨の報知が終了すると、数値表示手段１２ａの表示内容をタイマ残時間表示から異常表示に戻して、使用者へ異常情報を優先的に知らせて、異常状態に対する迅速かつ的確な対応を促すことができる。
【００９４】
なお、実施の形態１〜３において、数値表示手段１２ａの異常表示で、視認性向上のため、時系列交互表示の「アルファベット」と「数値２桁」間に、何も点灯しないブランク期間を設けても良い。
【００９５】
また、異常情報の「アルファベット」は「Ｈ」または「Ｕ」に限定されるものではなく、異常コードも「アルファベット」と「数字２桁」の組み合わせに限定されるものではなく、数値表示手段１２ａで表示可能なものであれば、同様の効果を得ることができる。
【００９６】
更に、数値表示手段１２ａは、７セグＬＥＤの他に、液晶表示素子（ＬＣＤ）などの表示素子を採用しても、同様の効果を得ることができる。
【００９７】
更に、タイマ残時間表示について、使用者がタイマ残時間を設定するタイマ機能についてのみ述べているが、例えば、自動魚焼き調理や炊飯調理などのオート調理の残時間表示についても適用（但し、「分」キー９ｂおよび「取消」キー９ｃによるタイマ残時間の変更は不可）し、同様の効果を得ることができる。
【００９８】
更に、何れの加熱手段のタイマ残時間または異常情報を数値表示手段１２ａで表示しているかを明示するために、「第１」ＬＥＤ１２ｂまたは「第２」ＬＥＤ１２ｃを点滅しているが、ＬＥＤの発光色を変えても同様の効果を得ることができる。
【００９９】
更に、タイマ終了報知のためにブザー１４を採用しているが、スピーカによる音声報知やブザー吹鳴周波数と吹鳴リズムを変化させた音声報知などを採用することもできる。
【０１００】
更に、第１の加熱手段１および第２の加熱手段２は、誘導加熱、ラジェントヒータ、シーズヒータ、ガスバーナなどとすることができる。
【０１０１】
更に、加熱手段が２つ存在する場合についてのみ述べているが、３つ以上存在する場合でも同様の効果を得ることができる。
【産業上の利用可能性】
【０１０２】
以上のように、本発明にかかる加熱調理器は、桁数の少ない数値表示手段を採用して部品をコストおよび取り付けスペースを抑制しつつ、多種に渡る異常情報を使用者に迅速かつ的確に知らせることができるので、誘導加熱、ラジェントヒータ、シーズヒータ、ガスバーナなど、複数の加熱手段を組み合わせた加熱調理器等の用途にも適用できる。
【図面の簡単な説明】
【０１０３】
【図１】本発明の実施の形態１〜３における加熱調理器のブロック図
【符号の説明】
【０１０４】
１  第１の加熱手段
２  第２の加熱手段
４  異常検知手段
９ａ  「選択」キー（選択手段・強制タイマ表示手段）
９ｂ  「分」キー（タイマ残時間変更手段）
１２ａ  数値表示手段
１２ｂ  「第１」ＬＥＤ（一方のタイマ選択状態表示手段）
１２ｃ  「第２」ＬＥＤ（他方のタイマ選択状態表示手段）
１３  制御手段
【図１】
2007164997.tif 000004